(57)【特許請求の範囲】
【請求項１】
冷蔵室と冷凍室を備えた冷蔵庫本体で、圧縮機と凝縮器と第一の減圧手段と前記冷蔵室内に配設した第一の蒸発器と接続管と冷媒流量制御手段である電子膨張弁と第二の減圧手段と前記冷凍室内に配設した第二の蒸発器とからなり、前記第一の蒸発器出口と前記第二の蒸発器入口を結ぶ前記接続管途中に前記電子膨張弁を接続し、前記第一の蒸発器と前記接続管と前記電子膨張弁と並列となるように前記第二の減圧手段を接続した冷凍サイクルを設け、前記電子膨張弁を前記冷凍室内に設置することを特徴とする冷蔵庫。
【請求項２】
電子膨張弁を第二の蒸発器に対して風路の下流側に設置することを特徴とする請求項１に記載の冷蔵庫。
【請求項３】
電子膨張弁を第二の蒸発器を通過する空気の風路外に設置することを特徴とする請求項１に記載の冷蔵庫。
【請求項４】
電子膨張弁を密閉ケース内に収納したことを特徴とする請求項１に記載の冷蔵庫。
【請求項５】
第二の蒸発器近傍に除霜用ヒータを設け、除霜時、前記除霜用ヒータの通電と同期して電子膨張弁に電圧を印加することを特徴とする請求項１に記載の冷蔵庫。
【請求項６】
除霜時、電子膨張弁に印加する電圧をデューティ通電とすることを特徴とする請求項５に記載の冷蔵庫。
【請求項７】
除霜時、所定時間経過後電子膨張弁への電圧の印加を停止する制御手段を設けたことを特徴とする請求項５に記載の冷蔵庫。
【請求項８】
電子膨張弁に温度開閉装置を取り付け、除霜時に前記電子膨張弁が所定温度以上になると前記温度開閉装置により前記電子膨張弁への電圧の印加が停止する制御手段を設けたことを特徴とする請求項５に記載の冷蔵庫。
【発明の詳細な説明】
【０００１】
【発明の属する技術分野】
本発明は、冷蔵室と冷凍室にそれぞれ独立した蒸発器を備えた冷凍サイクルを備えた冷蔵庫に関するものである。
【０００２】
【従来の技術】
近年、冷蔵庫は食品の多様化や、より新鮮さを保つために温度帯の異なる貯蔵室を多数有し、貯蔵室毎にきめ細かな温度管理、湿度管理が要求される。
【０００３】
従来の冷蔵庫としては特開昭５３−１３５０６号公報に示されているものがある。以下図面を参照しながら上記従来の冷蔵庫を説明する。
【０００４】
図１０は従来の冷蔵庫の断面図である。図１０において、１は冷蔵庫本体、２は冷蔵庫本体１内に設けられた冷蔵室、３は冷蔵庫本体１内に設けられた冷凍室である。４は圧縮機で、冷蔵庫本体１の背面下部に設けられた機械室５に設置され冷凍サイクルの一部を形成している。
【０００５】
６は第一の減圧手段である一次キャピラリで、一端が冷蔵室２内に配設された電動弁７の入口部に接続されており、他端は冷凍サイクルに接続されている。また８は冷蔵室２内に配設された冷蔵室２冷却用の第一の蒸発器であり入口部が電動弁７の出口部に接続されている。
【０００６】
また９は冷凍室３内に配設された冷凍室３冷却用の第二の蒸発器であり、第一の蒸発器８の出口部は第二の蒸発器９の入口部に接続管１０で接続されている。さらに第二の蒸発器９の出口部は冷凍サイクルに接続されている。１１は第二の減圧手段である二次キャピラリで、電動弁７の入口部と第二の蒸発器１９の入口部とを接続している。
【０００７】
以上の様に構成された冷蔵庫について、以下その動作を説明する。
【０００８】
まず、冷蔵室２及び冷凍室３が所定の温度より高かった場合は、電動弁７が開くと共に、圧縮機４が運転され冷凍サイクル内に封入された気体冷媒が高温高圧力に圧縮された後、所定の行程を経て液化し一次キャピラリ６に至る。
【０００９】
次に、一次キャピラリ６では液化した冷媒が減圧され低温低圧力の液冷媒となる。次に、一次キャピラリ６を出た冷媒の一部は電動弁７を通過し、第一の蒸発器８に入る。
【００１０】
更に、液冷媒は第一の蒸発器８を通過する間に冷蔵室２内の空気と熱交換を行い大部分が気化蒸発し、冷蔵室２が冷却される。第一の蒸発器８で蒸発気化しなかった液冷媒と気化した気体冷媒は、接続管１０を経て第二の蒸発器９に入る。
【００１１】
また、一次キャピラリ６を出た冷媒の残りは二次キャピラリ１１によって更に低温低圧力の液冷媒となり第二の蒸発器９に入る。第二の蒸発器９では、第一の蒸発器８で蒸発気化しなかった液冷媒と二次キャピラリ１１を出た液冷媒とが更に蒸発気化し、冷凍室３が冷却される。また、第二の蒸発器９を出た冷媒は、圧縮機４に戻り冷凍サイクルの冷却作用が連続的に動作される。
【００１２】
次に、冷蔵室２が所定の温度まで冷却された時は、電動弁７が閉じる事で第一の蒸発器８に低温低圧力の液冷媒が流入せず、液冷媒はすべて二次キャピラリ１１１を通過して第二の蒸発器９だけに流入し冷凍室３のみを冷却するので、冷蔵室２が余分に冷却されて所定の温度より低くなる事は無い。
【００１３】
更に、冷凍室３も所定の温度まで冷却された時は、圧縮機４の運転が停止し冷凍サイクルの冷却作用は停止する。
【００１４】
また、冷蔵室２、冷凍室３の温度が所定の温度より上昇した場合には、圧縮機４の運転が再開され、電動弁７の開閉によって冷却する貯蔵室が選択される。
以上の様に、冷凍サイクルの運転状態が移り変わる事で冷蔵室２、冷凍室３の温度は所定の温度に保たれる。
【００１５】
【発明が解決しようとする課題】
しかしながら、上記従来の構成は電動弁７は冷蔵室２の内部空間に開放されており、更に電動弁７の内部を通過する低温低圧力の液冷媒によって電動弁７は０度以下に冷却されるので、冷蔵室２内の湿気が霜となって電動弁７に着霜する。電動弁７への着霜が多大になった時は、冷蔵室２内に電動弁７に付着した霜を確実に除霜する熱源がないために霜が氷となって成長し電動弁７の動作が不安定となり冷凍サイクルの運転状態がスムーズに移り変わる事が出来なくなり、冷蔵室２および冷凍室３を所定の温度に安定して保つ事が難しくなってしまうとともに、冷蔵室２内の水分が電動弁７に霜となって取られてしまうために冷蔵室２内の湿度が低下し、食品が乾燥するという欠点があった。
【００１６】
本発明は、従来の課題を解決するもので、電動弁へ付着した霜を確実に取り除くとともに冷蔵室内の食品の乾燥を防止する事を目的とする。
【００１７】
【課題を解決するための手段】
本発明の請求項１に記載の発明は、冷蔵室と冷凍室を備えた冷蔵庫本体で、圧縮機と凝縮器と第一の減圧手段と前記冷蔵室内に配設した第一の蒸発器と接続管と冷媒流量制御手段である電子膨張弁と第二の減圧手段と前記冷凍室内に配設した第二の蒸発器とからなり、前記第一の蒸発器出口と前記第二の蒸発器入口を結ぶ前記接続管途中に前記電子膨張弁を接続し、前記第一の蒸発器と前記接続管と前記電子膨張弁と並列となるように前記第二の減圧手段を接続した冷凍サイクルを設け、前記電子膨張弁を前記冷凍室内に設置したものであり、冷蔵室に比べて冷凍室の方が湿度が低いために電子膨張弁に付着する霜量を抑制でき除霜時に確実に電子膨張弁に付着した霜を取り除くことが可能となり、電子膨張弁の動作が正常に保たれるので、冷蔵室および冷凍室を所定の温度に安定して保つ事が出来る。
【００１８】
また、冷凍室内に電子膨張弁を設置することにより冷蔵室内の水分が霜となって取られることがないので冷蔵室内を高湿度に保つことが可能となり食品の乾燥を抑制できる。
【００１９】
請求項２に記載の発明は、電子膨張弁を第二の蒸発器に対して風路の下流側に設置したものであり、冷凍室内を循環した冷気は第二の蒸発器を通過する際にその水分を第二の蒸発器に霜として奪われるために第二の蒸発器に対して風路下流側では冷気は乾燥しているので電子膨張弁に付着する霜量を抑制することが可能となる。
【００２０】
請求項３に記載の発明は、電子膨張弁を第二の蒸発器を通過する空気の風路外に設置したものであり電子膨張弁と接触する冷気量を低減することにより電子膨張弁に付着する霜量をさらに抑制することが可能となる。
【００２１】
また、電子膨張弁入口部の冷媒は比較的高温の冷媒であるので風路外に設置することにより冷凍室への暖気の流入を防止することが可能となる。
【００２２】
請求項４に記載の発明は、電子膨張弁を密閉ケース内に収納したものであり、確実に冷気を電子膨張弁と接触させないことにより電子膨張弁への霜の付着を防止することが可能となる。
【００２３】
請求項５に記載の発明は、第二の蒸発器近傍に除霜用ヒータを設け、除霜時、前記除霜用ヒータの通電と同期して電子膨張弁に電圧を印加するものであり、除霜用ヒータの発熱を利用して確実に電子膨張弁に付着した霜を除去することが可能となる。
【００２４】
また、電子膨張弁自体の発熱によりさらに確実に電子膨張弁に付着した霜を除去することが可能となる。
【００２５】
請求項６に記載の発明は、除霜時、電子膨張弁に印加する電圧をデューティ通電としたものであり、電子膨張弁の過度の昇温を抑制でき電子膨張弁の信頼性を向上できるとともに除霜時の冷凍室の温度上昇を低減することが可能となる。
【００２６】
請求項７に記載の発明は、除霜時、所定時間経過後電子膨張弁への電圧の印加を停止する制御手段を設けたものであり、除霜時間に関係なく確実に電子膨張弁の過度の昇温を抑制できる。
【００２７】
請求項８に記載の発明は、電子膨張弁に温度開閉装置を取り付け、除霜時に前記電子膨張弁が所定温度以上になると前記温度開閉装置により前記電子膨張弁への電圧の印加が停止する制御手段を設けたものであり、いかなる条件下の除霜においても一定温度以下に電子膨張弁の温度上昇を抑制できるのでさらに電子膨張弁の信頼性を向上できる。
【００２８】
【発明の実施の形態】
以下、本発明による冷蔵庫の実施の形態について図面を用いて説明する。
【００２９】
（実施の形態１）
図１は本発明の実施の形態１における冷蔵庫の断面図である。
【００３０】
図１において、１２は冷蔵庫本体であり、上方部に比較的高温の区画である冷蔵室１３を、下方部に比較的低温の冷凍室１４を配置してあり、例えばウレタンのような断熱材で周囲と断熱して構成している。食品等の収納物の出し入れは図示しない断熱ドアを介して行われる。
【００３１】
冷蔵室１３は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００３２】
冷凍室１４は冷凍保存のために通常−２２〜−１８℃で設定されているが、保鮮性向上のためより低温の温度、例えば−３０〜−２５℃で設定されることもある。
【００３３】
冷凍サイクル２４は圧縮機１５と凝縮器２２と第一の減圧手段である第一のキャピラリ１７と第一の蒸発器１８と接続管２０と冷媒流量制御手段である電子膨張弁２３と第二の減圧手段である第二のキャピラリ２１と第二の蒸発器１９とからなり、第一の蒸発器１８出口と第二の蒸発器１９入口を結ぶ接続管２０途中に電子膨張弁２３を接続し、第一の蒸発器１８と接続管２０と電子膨張弁と並列となるように第二のキャピラリ２１を接続している。
【００３４】
第一の蒸発器１８は冷蔵室１３内の、例えば冷蔵室１３奥面に配設されており、近傍には冷蔵室１３の区画内空気を第一の蒸発器１８に通過させて循環させる第一の電動ファン２５が設けてある。
【００３５】
また、第二の蒸発器１９は冷凍室１４内の、例えば冷凍室１４奥面に配設されており、近傍には冷凍室１４の区画内空気を第二の蒸発器１９を通過させて循環させる第二の電動ファン２６が設けてある。
【００３６】
さらに圧縮機１５は例えばインバーターによる回転数制御で冷媒循環量を制御し冷凍能力を変化させることができる能力可変型としてある。
【００３７】
また、冷蔵室１３と冷凍室１４には区画内温度を検知する、例えばサーミスタである温度検知手段Ｔｈ１、Ｔｈ２を設けてあり、また、第一の蒸発器１８および第二の蒸発器１９のには蒸発器温度を検知する、例えばサーミスタである温度検知手段Ｔｅ１、Ｔｅ２を設けてあり、圧縮機１５と電子膨張弁２３と第一の電動ファン２５と第二の電動ファン２６とを制御する制御手段Ｃ１とを備えている。
【００３８】
圧縮機停止中に、冷凍室１４内の温度が上昇すると、冷凍室１４の温度検知手段Ｔｈ２が、予め設定された所定の温度を超えることを検知する。制御手段Ｃ１はこの信号を受けて、圧縮機１５と電子膨張弁２３と第一の電動ファン２５と第二の電動ファン２６を作動し冷蔵室１３と冷凍室１４の冷却を開始する。
【００３９】
圧縮機１５運転中、電子膨張弁２３は冷蔵室１３の温度検知手段Ｔｈ１が予め設定された所定の温度を越えている場合は閉止方向に動作を行い、また予め設定された所定の温度より低い場合は開放方向に動作を行う。
【００４０】
第一の電動ファン２５は圧縮機１５運転中、電子膨張弁２３が全閉状態となるまで運転を行い、全閉状態となった場合運転を停止する。
【００４１】
第二の電動ファン２６は、圧縮機１５運転中は常に運転を行う。
【００４２】
圧縮機１５運転中に、冷凍室１４の温度検知手段Ｔｈ２が予め設定された所定の温度より低いことを検知すると、圧縮機を停止する。
【００４３】
以上の動作により、冷蔵室１３および冷凍室１４を所定の温度に保つ冷凍サイクル２４において電子膨張弁２３を冷凍室１４内に設置することにより、冷蔵室１３に比べて冷凍室１４の方が湿度が低いために電子膨張弁２３に付着する霜量を抑制でき除霜時に確実に電子膨張弁２３に付着した霜を取り除くことが可能となり、電子膨張弁２３の動作が正常に保たれるので、冷蔵室１３および冷凍室１４を所定の温度に安定して保つ事が出来る。
【００４４】
また、冷凍室１４内に電子膨張弁１２を設置することにより冷蔵室１３内の水分が霜となって電子膨張弁２３に付着して取られることがないので冷蔵室１３内を高湿度に保つことが可能となり食品の乾燥を抑制できる。
【００４５】
（実施の形態２）
図２は本発明の実施の形態２における冷蔵庫の断面図である。
【００４６】
図２において、冷凍室１４内に電子膨張弁２３を第二の蒸発器１９に対して風路の下流側に設置している。
【００４７】
冷凍室１４内を循環した冷気は第二の蒸発器１９を通過する際にその水分を第二の蒸発器１９に霜として奪われるために第二の蒸発器１９に対して風路下流側では冷気は乾燥している。そのため、電子膨張弁２３に付着する霜量を低減でき除霜時に確実に電子膨張弁２３に付着した霜を取り除くことが可能となり、電子膨張弁２３の動作が正常に保たれるので、冷蔵室１３および冷凍室１４を所定の温度に安定して保つ事が出来る。
【００４８】
（実施の形態３）
図３は本発明の実施の形態３における冷蔵庫の断面図である。
【００４９】
図３において、冷凍室１４内に電子膨張弁２３を第二の蒸発器１９を通過する空気の風路外に設置している。
【００５０】
電子膨張弁２３を第二の蒸発器１９より外側に設置しているので、電子膨張弁２３と接触する冷気量を低減することにより電子膨張弁２３に付着する霜量をさらに抑制することが可能となる。
【００５１】
また、電子膨張弁２３入口部の冷媒は比較的高温の冷媒であるので電子膨張弁２３を風路外に設置することにより冷凍室１４への暖気の流入を防止することが可能となる。
【００５２】
なお、図４に示すように例えばリブ２７のような仕切りで電子膨張弁２３へ向かう冷気の流れを遮断するとさらに電子膨張弁２３に付着する霜量を抑制することが可能となる。
【００５３】
（実施の形態４）
図５は本発明の実施の形態４における冷蔵庫の断面図である。
【００５４】
図５において、冷凍室１４内に電子膨張弁２３を密閉ケース２８内に収納したものである。
【００５５】
圧縮機１５が運転され冷凍サイクルの冷却作用が動作されると、電子膨張弁２３を低温低圧の冷媒が通過するので電子膨張弁２３は０度以下に冷却される。しかし、電子膨張弁２３は密閉ケース２８内に密閉収納されているので、冷凍室１４内の冷気が直接電子膨張弁２３に接触しない。そのため、電子膨張弁２３への霜の付着を防止することができ電子膨張弁２３の動作が正常に保たれるので、冷蔵室１３および冷凍室１４を所定の温度に安定して保つ事が出来る。
【００５６】
また、電子膨張弁２３入口部の冷媒は比較的高温の冷媒であるので電子膨張弁２３を密閉ケース２８内に密閉収納することにより冷凍室１４への暖気の流入を防止することが可能となる。
【００５７】
なお、密閉ケースを例えばウレタンのような断熱材とするとさらに確実に冷凍室１４への暖気の流入を防止することが可能となる。
【００５８】
（実施の形態５）
図６は本発明の実施の形態５における冷蔵庫の断面図である。
【００５９】
図６において、第二の蒸発器１９近傍に除霜用ヒータ２９を設け、除霜時、除霜用ヒータ２９の通電と同期して電子膨張弁２３に電圧を印加する制御手段Ｃ２を設ける。これにより、除霜時に除霜用ヒータ２９の発熱を利用して確実に電子膨張弁２３に付着した霜を除去することが可能となる。
【００６０】
また、電子膨張弁２３は内部に導体を巻いたコイルを備えておりコイルに通電することによりその磁力でニードルが動き冷媒流量を制御するものであるが通電時、コイルは発熱をする。
【００６１】
そこで、除霜時に電子膨張弁２３に電圧を印加し電子膨張弁２３自体の発熱を利用するとさらに確実に電子膨張弁２３に付着した霜を除去することが可能となる。
【００６２】
（実施の形態６）
図７は本発明の実施の形態６における冷蔵庫の断面図である。
【００６３】
図７において、除霜時、電子膨張弁２３に印加する電圧をデューティ通電とする制御手段Ｃ３を設ける。
【００６４】
これにより、除霜時の電子膨張弁２３の過度の昇温を抑制でき電子膨張弁２３の信頼性を向上できるとともに除霜時の冷凍室１４の温度上昇を低減することが可能となる。
【００６５】
なお、通常除霜時間は外気温度により変動するので図示しない外気温度センサーを設け、外気温度によりデューティ通電比を設定変更するとさらに確実に電子膨張弁２３の過度の昇温を抑制できる。
【００６６】
（実施の形態７）
図８は本発明の実施の形態７における冷蔵庫の断面図である。
【００６７】
図８において、除霜時、電子膨張弁２３へ電圧を印加する時間を制御するタイマーＴを備えた制御手段Ｃ４を設ける。
【００６８】
以上のように構成された冷蔵庫において、除霜開始から所定時間経過後電子膨張弁２３への電圧の印加を停止するものである。
【００６９】
これにより、除霜時間は第二の蒸発器１９の着霜量によって変動するが除霜時間に関係なく確実に電子膨張弁２３の過度の昇温を抑制でき電子膨張弁２３の信頼性をさらに向上できるとともに除霜時の冷凍室１４の温度上昇を低減することが可能となる。
【００７０】
なお、電子膨張弁２３への通電方法は連続通電、デューティ通電のどちらでも同様の効果がある。
【００７１】
（実施の形態８）
図９は本発明の実施の形態８における冷蔵庫の断面図である。
【００７２】
図９において、電子膨張弁２３に例えばバイメタルにより構成された温度開閉装置３０を取り付け、除霜時に電子膨張弁２３が所定温度以上になると温度開閉装置３０が動作し電子膨張弁２３への電圧の印加を停止する制御手段を設ける。これにより、いかなる条件下の除霜においても一定温度以下に電子膨張弁２３の温度上昇を抑制できるのより確実に電子膨張弁２３の信頼性を向上できる。
【００７３】
【発明の効果】
以上説明したように、請求項１に記載の発明は、冷蔵室と冷凍室を備えた冷蔵庫本体で、圧縮機と凝縮器と第一の減圧手段と前記冷蔵室内に配設した第一の蒸発器と接続管と冷媒流量制御手段である電子膨張弁と第二の減圧手段と前記冷凍室内に配設した第二の蒸発器とからなり、前記第一の蒸発器出口と前記第二の蒸発器入口を結ぶ前記接続管途中に前記電子膨張弁を接続し、前記第一の蒸発器と前記接続管と前記電子膨張弁と並列となるように前記第二の減圧手段を接続した冷凍サイクルを設け、前記電子膨張弁を前記冷凍室内に設置したものであり、冷蔵室に比べて冷凍室の方が湿度が低いために電子膨張弁に付着する霜量を抑制でき除霜時に確実に電子膨張弁に付着した霜を取り除くことが可能となり、電子膨張弁の動作が正常に保たれるので、冷蔵室および冷凍室を所定の温度に安定して保つ事が出来る。
【００７４】
また、冷凍室内に電子膨張弁を設置することにより冷蔵室内の水分が霜となって取られることがないので冷蔵室内を高湿度に保つことが可能となり食品の乾燥を抑制できる。
【００７５】
請求項２に記載の発明は、電子膨張弁を第二の蒸発器に対して風路の下流側に設置したものであり、冷凍室内を循環した冷気は第二の蒸発器を通過する際にその水分を第二の蒸発器に霜として奪われるために第二の蒸発器に対して風路下流側では冷気は乾燥しているので電子膨張弁に付着する霜量を抑制することが可能となる。
【００７６】
請求項３に記載の発明は、電子膨張弁を第二の蒸発器を通過する空気の風路外に設置したものであり電子膨張弁と接触する冷気量を低減することにより電子膨張弁に付着する霜量をさらに抑制することが可能となる。
【００７７】
また、電子膨張弁入口部の冷媒は比較的高温の冷媒であるので風路外に設置することにより冷凍室への暖気の流入を防止することが可能となる。
【００７８】
請求項４に記載の発明は、電子膨張弁を密閉ケース内に収納したものであり、確実に冷気を電子膨張弁と接触させないことにより電子膨張弁への霜の付着を防止することが可能となる。
【００７９】
請求項５に記載の発明は、第二の蒸発器近傍に除霜用ヒータを設け、除霜時、前記除霜用ヒータの通電と同期して電子膨張弁に電圧を印加するものであり、除霜用ヒータの発熱を利用して確実に電子膨張弁に付着した霜を除去することが可能となる。
【００８０】
また、電子膨張弁自体の発熱によりさらに確実に電子膨張弁に付着した霜を除去することが可能となる。
【００８１】
請求項６に記載の発明は、除霜時、電子膨張弁に印加する電圧をデューティ通電としたものであり、電子膨張弁の過度の昇温を抑制でき電子膨張弁の信頼性を向上できるとともに除霜時の冷凍室の温度上昇を低減することが可能となる。
【００８２】
請求項７に記載の発明は、除霜時、所定時間経過後電子膨張弁への電圧の印加を停止する制御手段を設けたものであり、除霜時間に関係なく確実に電子膨張弁の過度の昇温を抑制できる。
【００８３】
請求項８に記載の発明は、電子膨張弁に温度開閉装置を取り付け、除霜時に前記電子膨張弁が所定温度以上になると前記温度開閉装置により前記電子膨張弁への電圧の印加が停止する制御手段を設けたものであり、いかなる条件下の除霜においても一定温度以下に電子膨張弁の温度上昇を抑制できるのでさらに電子膨張弁の信頼性を向上できる。
【図面の簡単な説明】
【図１】  本発明による冷蔵庫の実施の形態１の断面図
【図２】  本発明による冷蔵庫の実施の形態２の断面図
【図３】  本発明による冷蔵庫の実施の形態３の断面図
【図４】  本発明による冷蔵庫の実施の形態３の断面図
【図５】  本発明による冷蔵庫の実施の形態４の断面図
【図６】  本発明による冷蔵庫の実施の形態５の断面図
【図７】  本発明による冷蔵庫の実施の形態６の断面図
【図８】  本発明による冷蔵庫の実施の形態７の断面図
【図９】  本発明による冷蔵庫の実施の形態８の断面図
【図１０】  従来の冷蔵庫の断面図
【符号の説明】
１２  冷蔵庫本体
１３  冷蔵室
１４  冷凍室
１５  圧縮機
１６  機械室
１７  第一の減圧手段（キャピラリ）
１８  第一の蒸発器
１９  第二の蒸発器
２０  接続管
２１  第二の減圧手段（キャピラリ）
２２  凝縮器
２３  電子膨張弁
２４  冷凍サイクル
２５  第一の電動ファン
２６  第二の電動ファン
２７  リブ
２８  密閉ケース
２９  除霜用ヒータ
３０  温度開閉装置
Ｃ１,Ｃ２,Ｃ３,Ｃ４,Ｃ５  制御手段
Ｔｈ１,Ｔｈ２,Ｔｅ１,Ｔｅ２  温度検知手段
Ｔ    タイマー
【図１】
0004314726.tif 000002
【図２】
0004314726.tif 000003
【図３】
0004314726.tif 000004
【図４】
0004314726.tif 000005
【図５】
0004314726.tif 000006
【図６】
0004314726.tif 000007
【図７】
0004314726.tif 000008
【図８】
0004314726.tif 000009
【図９】
0004314726.tif 000010
【図１０】
0004314726.tif 000011